(57)【要約】【課題】ディスプレイ上にメータを縮小表示する場合でも、メータの視認性の低下を抑制することができるメータ表示装置を得ること。【解決手段】目盛線を有するメータの画像を表示するメータ表示部２と、メータの表示位置および大きさを含む表示情報を生成する表示情報生成部１１と、表示情報に基づいて、メータの画像処理を行うメータ画像処理部１２と、メータ画像処理部１２の画像処理結果に基づいて、メータの画像を生成するメータ画像生成部１３と、を備え、メータ画像処理部１２は、メータ表示部２の画素ピッチ情報を保持し、メータ表示部２の画素ピッチと表示情報に含まれるメータの目盛線の線間距離とに応じて、メータの目盛線を間引く目盛線間引き処理を実施するようにした。【選択図】図１
2013049385.tif 000002
【特許請求の範囲】
【請求項１】
目盛線を有するメータの画像を表示するメータ表示部と、
前記メータの表示位置および大きさを含む表示情報を生成する表示情報生成部と、
前記表示情報に基づいて、前記メータの画像処理を行うメータ画像処理部と、
前記メータ画像処理部の画像処理結果に基づいて、前記メータの画像を生成するメータ画像生成部と、
を備え、
前記メータ画像処理部は、
前記メータ表示部の画素ピッチ情報を保持し、前記メータ表示部の画素ピッチと前記表示情報に含まれる前記メータの目盛線の線間距離とに応じて、前記メータの目盛線を間引く目盛線間引き処理を実施する
ことを特徴とするメータ表示装置。
【請求項２】
前記メータ画像処理部は、前記メータ表示部の画素ピッチをＰ１、前記メータの目盛線の線間距離をＰ２としたとき、Ｐ２＜２Ｐ１×Ｎ（Ｎ：所定の自然数）を満たす場合に、前記目盛線間引き処理を実施することを特徴とする請求項１に記載のメータ表示装置。
【請求項３】
前記メータ画像処理部は、前記目盛線間引き処理を実施する際に、Ｐ２≧２Ｐ１×Ｎを満たすまで、前記メータの隣り合う目盛線のうちの一方を間引く処理を繰り返し行うことを特徴とする請求項２に記載のメータ表示装置。
【請求項４】
前記メータ画像処理部は、前記目盛線間引き処理と、隣り合う前記目盛線のうちの一方の色相、彩度、あるいは明度を変更する目盛線色変更処理とを併用して実施することを特徴とする請求項１に記載のメータ表示装置。
【請求項５】
前記メータ画像処理部は、前記メータ表示部の画素ピッチをＰ１、前記メータの目盛線の線間距離をＰ２としたとき、Ｐ２＜Ｐ１×Ｎ（Ｎ：所定の自然数）を満たす場合に、前記目盛線間引き処理を実施し、Ｐ１×Ｎ≦Ｐ２＜２Ｐ１×Ｎを満たす場合に、前記目盛線色変更処理を実施することを特徴とする請求項４に記載のメータ表示装置。
【請求項６】
前記メータ画像処理部は、前記目盛線間引き処理を実施する際に、Ｐ２≧Ｐ１×Ｎを満たすまで、前記メータの隣り合う目盛線のうちの一方を間引く処理を繰り返し行うことを特徴とする請求項５に記載のメータ表示装置。
【発明の詳細な説明】
【技術分野】
【０００１】
本発明は、メータ表示装置に関する。
【背景技術】
【０００２】
車両用のメータ表示装置としては、近年、アナログ機械式メータ表示装置に代えて、液晶パネル等のディスプレイを用いてメータを画像表示するデジタル式メータ表示装置の採用例が増加している。このようなデジタル式メータ表示装置では、コンピュータグラフィックス（ＣＧ：Computer Graphics）技術等を用いてメータ類の表示を行うことができ、アナログ機械式メータ表示装置に比べて意匠の自由度が高いため、一方では、多彩なメータ表示を実現できるという利点があるが、他方では、個々の表示情報の識別性が低下し易いという欠点もある。
【０００３】
従来、デジタル式メータ表示装置において、個々の表示情報の識別性を高める技術として、ディスプレイ上に表示する画像を複数の部品グループに区分し、メータ表示領域において各部品グループがそれぞれ奥行き方向の互いに異なる位置に存在するものとして認識されるように立体画像処理を施してディスプレイ上に表示する技術が開示されている（例えば、特許文献１）。
【先行技術文献】
【特許文献】
【０００４】
【特許文献１】特開２００９−１３７４８７号公報
【発明の概要】
【発明が解決しようとする課題】
【０００５】
しかしながら、上記従来技術では、ディスプレイ上のレイアウトにおいてメータを縮小表示せざるを得ない場合、メータの目盛線の間隔が狭くなり、メータの視認性が低下する場合がある、という問題があった。
【０００６】
本発明は、上記に鑑みてなされたものであって、ディスプレイ上にメータを縮小表示する場合でも、メータの視認性の低下を抑制することができるメータ表示装置を提供することを目的とする。
【課題を解決するための手段】
【０００７】
上述した課題を解決し、目的を達成するため、本発明にかかるメータ表示装置は、目盛線を有するメータの画像を表示するメータ表示部と、前記メータの表示位置および大きさを含む表示情報を生成する表示情報生成部と、前記表示情報に基づいて、前記メータの画像処理を行うメータ画像処理部と、前記メータ画像処理部の画像処理結果に基づいて、前記メータの画像を生成するメータ画像生成部と、を備え、前記メータ画像処理部は、前記メータ表示部の画素ピッチ情報を保持し、前記メータ表示部の画素ピッチと前記表示情報に含まれる前記メータの目盛線の線間距離とに応じて、前記メータの目盛線を間引く目盛線間引き処理を実施することを特徴とする。
【発明の効果】
【０００８】
本発明によれば、ディスプレイ上にメータを縮小表示する場合でも、メータの視認性の低下を抑制することができる、という効果を奏する。
【図面の簡単な説明】
【０００９】
【図１】図１は、実施の形態１にかかるメータ表示装置の一構成例を示す図である。
【図２】図２は、実施の形態１にかかる画像処理の概念を説明する図である。
【図３】図３は、実施の形態１にかかるメータ表示装置の画像処理手順の一例を示すフローチャートである。
【図４】図４は、メータを単に縮小表示した例を示す図である。
【図５】図５は、実施の形態１にかかる目盛線間引き処理を実施してメータを縮小表示した例を示す図である。
【図６】図６は、実施の形態２にかかる画像処理の概念を説明する図である。
【図７】図７は、実施の形態２にかかるメータ表示装置の画像処理手順の一例を示すフローチャートである。
【図８】図８は、実施の形態２にかかる目盛線色変更処理を実施してメータを縮小表示した例を示す図である。
【発明を実施するための形態】
【００１０】
以下に添付図面を参照し、本発明の実施の形態にかかるメータ表示装置について説明する。なお、以下に示す実施の形態により本発明が限定されるものではない。
【００１１】
実施の形態１．
図１は、実施の形態１にかかるメータ表示装置の一構成例を示す図である。図１に示すように、実施の形態１にかかるメータ表示装置は、表示制御部１およびメータ表示部２を備えている。表示制御部１は、表示情報生成部１１と、メータ画像処理部１２と、メータ画像生成部１３とを備え構成される。メータ表示部２は、例えば液晶パネル等により構成されるディスプレイであり、表示制御部１から出力される車両の速度を示すメータ等を含む各表示部品の画像を表示する機能を有している。
【００１２】
表示情報生成部１１は、車両の運行状況を示す運行情報や、ドアの開閉状態やエアコンの動作状態等の車両の状態を示す車両情報等に基づいて、メータ表示部２上における画面レイアウトを、メータ等の各表示部品の表示位置や大きさを含む表示情報として生成する。この表示情報生成部１１は、例えば、ＣＰＵ等のハードウェア上で実行されるソフトウェアで実現することができる。
【００１３】
メータ画像処理部１２は、図示しない速度計からの速度情報等を取り込み、表示情報生成部１１が生成した表示情報に基づいて、メータを含む各表示部品の画像処理を行う。このメータ画像処理部１２は、例えばＣＰＵやＧＰＵ等のハードウェアにより構成することができる。
【００１４】
メータ画像生成部１３は、メータ画像処理部１２の画像処理結果に基づいて、メータ表示部２に表示するメータを含む各表示部品の画像を生成する。このメータ画像生成部１３も、メータ画像処理部１２と同様に、例えばＣＰＵやＧＰＵ等のハードウェアにより構成することができる。
【００１５】
つぎに、実施の形態１にかかるメータ表示装置の画像処理の概念について説明する。メータ画像処理部１２は、メータ表示部２の画素ピッチ情報を保持しており、メータ表示部２の画素ピッチと表示情報に含まれるメータの目盛線の線間距離とに応じて、メータの目盛線を間引く目盛線間引き処理を実施する。
【００１６】
図２は、実施の形態１にかかる画像処理の概念を説明する図である。図２では、メータ表示部２の画素ピッチとメータの目盛線の線間距離との関係を示している。また、図２において、点線は各画素の境界を示し、一点鎖線は目盛線の中心線を示している。メータ表示部２の画素ピッチをＰ１、メータの目盛線の線間距離をＰ２とすると、図２（ａ）に示すように、Ｐ２＝Ｐ１である場合には、各目盛線の線間に空白の画素列が存在しない。このため、隣り合う目盛線をそれぞれ独立した線として表示することができない。また、Ｐ２＜Ｐ１である場合には、各目盛線の線間に空白の画素列が存在しないだけでなく、表示不可能な目盛線が生じる。このため、Ｐ２≦Ｐ１である場合には、目盛線間引き処理を実施する必要がある。
【００１７】
一方、図２（ｂ）に示すように、Ｐ２＝２Ｐ１である場合には、各目盛線の線間に空白の画素列が存在する。また、Ｐ２＞２Ｐ１である場合も、各目盛線の線間に少なくとも１列の空白の画素列が存在する。つまり、Ｐ２≧２Ｐ１である場合には、隣り合う目盛線をそれぞれ独立した線として表示することができるため、目盛線間引き処理を実施する必要はない。
【００１８】
また、Ｐ１＜Ｐ２＜２Ｐ１である場合には、目盛線の線間に空白の画素列が存在する箇所と存在しない箇所とが生じ、目盛線の線間に空白の画素列が存在しない箇所では、隣り合う目盛線をそれぞれ独立した線として表示することができない。このため、Ｐ１＜Ｐ２＜２Ｐ１である場合には、目盛線間引き処理を実施する必要がある。
【００１９】
したがって、Ｐ２＜２Ｐ１を満たす場合に、目盛線間引き処理を実施するようにすれば、隣り合う目盛線をそれぞれ独立した線として表示することが可能となる。
【００２０】
本実施の形態では、上述したメータ表示部２の画素ピッチとメータの目盛線の線間距離との関係を用いて、隣り合う目盛線をそれぞれ独立した線として視認可能な目盛線の線間距離Ｐ２の最小値を２Ｐ１×Ｎ（Ｎ：所定の自然数）としたとき、メータ画像処理部１２は、Ｐ２＜２Ｐ１×Ｎを満たす場合に、目盛線間引き処理を実施する。このようにすれば、メータ表示部２上におけるレイアウトによりメータの大きさが縮小された場合でも、隣り合う目盛線をそれぞれ独立した線として視認可能となる。
【００２１】
なお、所定の自然数Ｎの値は、あらかじめ設定しておくことも可能であるが、使用者が調整可能としておくようにしてもよい。このようにすれば、使用者がより視認し易いように調整することができる。
【００２２】
つぎに、実施の形態１にかかるメータ表示装置の画像処理手順について説明する。図３は、実施の形態１にかかるメータ表示装置の画像処理手順の一例を示すフローチャートである。
【００２３】
メータ画像処理部１２は、表示情報生成部１１が生成した表示情報に基づいて、Ｐ２＜２Ｐ１×Ｎを満たすか否かを判定する（ステップＳＴ１０１）。Ｐ２＜２Ｐ１×Ｎを満たさない場合には（ステップＳＴ１０１；Ｎｏ）、メータ画像処理部１２は、目盛線間引き処理は実施不要であるものとして、本手順を終了する。
【００２４】
Ｐ２＜２Ｐ１×Ｎを満たす場合には（ステップＳＴ１０１；Ｙｅｓ）、メータ画像処理部１２は、隣り合う目盛線のうちの一方を間引き（目盛線間引き処理；ステップＳＴ１０２）、間引き後の目盛線の線間距離２Ｐ２を新たな線間距離Ｐ２として更新し（ステップＳＴ１０３）、ステップＳＴ１０１の処理に戻る。
【００２５】
そして、メータ画像処理部１２は、ステップＳＴ１０１〜ステップＳＴ１０３の処理を繰り返して実施し、Ｐ２＜２Ｐ１×Ｎを満たさなくなった場合（ステップＳＴ１０１；Ｎｏ）、つまり、Ｐ２≧２Ｐ１×Ｎを満たした場合に、本手順を終了する。
【００２６】
図４は、メータを単に縮小表示した例を示す図である。また、図５は、実施の形態１にかかる目盛線間引き処理を実施してメータを縮小表示した例を示す図である。図４に示すように、メータを単に縮小表示した場合には、目盛線の線間距離が小さくなり、視認性が低下する。
【００２７】
一方、図５に示すように、実施の形態１にかかる目盛線間引き処理を実施してメータを縮小表示した場合には、目盛線が間引かれることにより、縮小後の目盛線の線間距離が広くなるため、図４に示したメータを単に縮小表示した場合に対して、視認性の低下が抑制される。
【００２８】
以上説明したように、実施の形態１のメータ表示装置によれば、メータ表示部の画素ピッチと表示情報に含まれるメータの目盛線の線間距離とに応じて、メータの目盛線を間引く目盛線間引き処理を実施する、より具体的には、メータ表示部の画素ピッチをＰ１、メータの目盛線の線間距離をＰ２とし、隣り合う目盛線をそれぞれ独立した線として視認可能な目盛線の線間距離Ｐ２の最小値を２Ｐ１×Ｎ（Ｎ：所定の自然数）としたとき、Ｐ２＜２Ｐ１×Ｎを満たす場合に、目盛線間引き処理を実施するようにしたので、メータ表示部上にメータを縮小表示する場合でも、隣り合う目盛線をそれぞれ独立した線として視認可能となり、メータの視認性の低下を抑制することが可能となる。
【００２９】
実施の形態２．
実施の形態１では、メータの大きさに応じて、メータの目盛線を間引く目盛線間引き処理を実施する例について説明したが、本実施の形態では、メータの大きさに応じて、実施の形態１において説明した目盛線間引き処理と、隣り合う目盛線のうちの一方の色相、彩度、あるいは明度を変更する目盛線色変更処理とを併用して実施する例について説明する。なお、実施の形態２にかかるメータ表示装置の構成は、実施の形態１にかかるメータ表示装置と同一であるので、ここでは説明を省略する。
【００３０】
図６は、実施の形態２にかかる画像処理の概念を説明する図である。図６では、実施の形態１において図２に示した例と同様に、メータ表示部２の画素ピッチとメータの目盛線の線間距離との関係を示し、メータ表示部２の画素ピッチをＰ１、メータの目盛線の線間距離をＰ２としているが、図２に示した例とは異なり、隣り合う目盛線の明度を変えた例、つまり、目盛線色変更処理を実施した例を示している。
【００３１】
図６において、図２に示した例と同様に、メータ表示部２の画素ピッチをＰ１、メータの目盛線の線間距離をＰ２とすると、Ｐ２＝Ｐ１である場合には（図６（ａ））、図２に示した例と同様に、各目盛線の線間に空白の画素列は存在しないが、目盛線色変更処理を実施した場合には、隣り合う目盛線の明度が異なるため、それぞれ独立した線として表示することができる。このため、目盛線間引き処理を実施する必要はない。
【００３２】
一方、Ｐ２＜Ｐ１である場合には、隣り合う目盛線の明度が異なる場合、つまり、目盛線色変更処理を実施した場合でも、表示不可能な目盛線が生じるため、目盛線間引き処理を実施する必要がある。なお、Ｐ２＜Ｐ１である場合には、目盛線間引き処理を実施することにより、隣り合う目盛線をそれぞれ独立した線として表示することができるため、目盛線色変更処理を実施する必要はない。
【００３３】
また、図６（ｂ）に示すように、Ｐ２＝２Ｐ１の場合には、図２（ｂ）に示す例と同様に、各目盛線の線間に空白の画素列が存在する。また、Ｐ２＞２Ｐ１である場合も、各目盛線の線間に少なくとも１列の空白の画素列が存在する。このため、Ｐ２≧２Ｐ１を満たす場合には、隣り合う目盛線の目盛線色変更処理を実施することなく、隣り合う目盛線をそれぞれ独立した線として表示することができる。
【００３４】
なお、Ｐ１＜Ｐ２＜２Ｐ１である場合には、目盛線の線間に空白の画素列が存在する箇所と存在しない箇所とが生じるが、目盛線色変更処理を実施した場合には、目盛線の線間に空白の画素列が存在しない箇所でも、隣り合う目盛線の明度が異なるため、それぞれ独立した線として表示することができる。このため、目盛線間引き処理を実施する必要はない。
【００３５】
したがって、Ｐ２＜Ｐ１を満たす場合には、目盛線間引き処理を実施し、Ｐ１≦Ｐ２＜２Ｐ１を満たす場合には、目盛線色変更処理を実施するようにすれば、隣り合う目盛線をそれぞれ独立した線として表示することが可能となる。
【００３６】
本実施の形態では、上述したメータ表示部２の画素ピッチとメータの目盛線の線間距離との関係を用いて、色相、彩度、あるいは明度の異なる隣り合う目盛線をそれぞれ独立した線として視認可能な目盛線の線間距離Ｐ２の最小値をＰ１×Ｎ（Ｎ：所定の自然数）としたとき、メータ画像処理部１２は、Ｐ２＜Ｐ１×Ｎを満たす場合に、目盛線間引き処理を実施し、Ｐ１×Ｎ≦Ｐ２＜２Ｐ１×Ｎを満たす場合には、目盛線色変更処理を実施する。このようにすれば、メータ表示部２上におけるレイアウトによりメータの大きさが縮小された場合でも、実施の形態１と同様に、隣り合う目盛線をそれぞれ独立した線として視認可能となる。
【００３７】
なお、所定の自然数Ｎの値は、実施の形態１と同様に、あらかじめ設定しておくようにしても、使用者が調整可能としておくようにしてもよい。
【００３８】
つぎに、実施の形態２にかかるメータ表示装置の画像処理手順について説明する。図７は、実施の形態２にかかるメータ表示装置の画像処理手順の一例を示すフローチャートである。
【００３９】
メータ画像処理部１２は、表示情報生成部１１が生成した表示情報に基づいて、Ｐ２＜Ｐ１×Ｎを満たすか否かを判定する（ステップＳＴ２０１）。
【００４０】
Ｐ２＜Ｐ１×Ｎを満たす場合には（ステップＳＴ２０１；Ｙｅｓ）、メータ画像処理部１２は、隣り合う目盛線のうちの一方を間引き（目盛線間引き処理；ステップＳＴ２０２）、間引き後の目盛線の線間距離２Ｐ２を新たな線間距離Ｐ２として更新し（ステップＳＴ２０３）、ステップＳＴ２０１の処理に戻り、ステップＳＴ２０１〜ステップＳＴ２０３の処理を繰り返して実施する。
【００４１】
Ｐ２＜Ｐ１×Ｎを満たさなくなった場合（ステップＳＴ２０１；Ｎｏ）、つまり、Ｐ２≧Ｐ１×Ｎを満たした場合に、メータ画像処理部１２は、引き続きＰ２＜２Ｐ１×Ｎを満たすか否かを判定する（ステップＳＴ２０４）。Ｐ２＜２Ｐ１×Ｎを満たさない場合（ステップＳＴ２０４；Ｎｏ）、つまり、Ｐ２≧２Ｐ１×Ｎを満たす場合には、メータ画像処理部１２は、目盛線色変更処理は実施不要であるものとして、本手順を終了する。
【００４２】
Ｐ２＜２Ｐ１×Ｎを満たす場合には（ステップＳＴ２０４；Ｙｅｓ）、メータ画像処理部１２は、隣り合う目盛線のうちの一方の色相、彩度、あるいは明度を変更し（目盛線色変更処理；ステップＳＴ２０５）、本手順を終了する。
【００４３】
図８は、実施の形態２にかかる目盛線色変更処理を実施してメータを縮小表示した例を示す図である。なお、図８に示す例では、目盛線間引き処理を実施せず、目盛線色変更処理のみ実施した例を示している。
【００４４】
図８に示すように、実施の形態２にかかる目盛線色変更処理を実施してメータを縮小表示した場合には、隣り合う目盛線の色相、彩度、あるいは明度が異なるため、図４に示したメータを単に縮小表示した場合に対して、視認性の低下が抑制される。
【００４５】
以上説明したように、実施の形態２のメータ表示装置によれば、メータの目盛線を間引く目盛線間引き処理と、隣り合う目盛線のうちの一方の色相、彩度、あるいは明度を変更する目盛線色変更処理とを併用して実施する、より具体的には、メータ表示部の画素ピッチをＰ１、メータの目盛線の線間距離をＰ２とし、隣り合う目盛線のうちの一方の色相、彩度、あるいは明度を変更した際に、隣り合う目盛線をそれぞれ独立した線として視認可能な目盛線の線間距離Ｐ２の最小値をＰ１×Ｎ（Ｎ：所定の自然数）としたとき、Ｐ２＜Ｐ１×Ｎを満たす場合には、目盛線間引き処理を実施し、Ｐ１×Ｎ≦Ｐ２＜２Ｐ１×Ｎを満たす場合には、目盛線色変更処理を実施するようにしたので、メータ表示部上にメータを縮小表示する場合でも、実施の形態１と同様に、隣り合う目盛線をそれぞれ独立した線として視認可能となり、メータの視認性の低下を抑制することが可能となる。
【００４６】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００４７】
１  表示制御部
２  メータ表示部
１１  表示情報生成部
１２  メータ画像処理部
１３  メータ画像生成部
【図１】
2013049385.tif 000003
【図２】
2013049385.tif 000004
【図３】
2013049385.tif 000005
【図４】
2013049385.tif 000006
【図５】
2013049385.tif 000007
【図６】
2013049385.tif 000008
【図７】
2013049385.tif 000009
【図８】
2013049385.tif 000010